(57)【要約】      （修正有）【課題】電子天びんの使用または輸送中の荷重検出部への粉塵・異物混入を防止する。【解決手段】被測定試料の荷重を検出する荷重センサに例えばロードセル６を用い、このロードセル６に荷重受け皿２を支承する支承部材１０をねじ９で固着した荷重受け持ち出し部７をねじ８で固定する。前記荷重受け持ち出し部７にカバー４の貫通穴１２と同径以上の内径の環状突起部１１を設けて貫通穴をケース内側より覆う。これにより、貫通穴１２から侵入する粉塵や異物は環状溝に蓄積され、本体５内部への侵入が防止される。【選択図】図２
2009036588.tif 000002
【特許請求の範囲】
【請求項１】
被測定試料を載置する荷重受け皿と、被測定試料の荷重を検出する荷重センサと、前記荷重センサに固設され荷重受け皿を支承する荷重受け持ち出し部と、貫通穴を有するカバーとを備え、前記荷重受け皿は前記貫通穴を通して前記荷重受け持ち出し部に支承されており、前記荷重受け持ち出し部における前記荷重受け皿が支承される箇所の周囲を囲む突起物が設けられ、当該突起物の内壁が前記貫通穴と同位置または外側に位置していることを特徴とする電子天びん。
【発明の詳細な説明】
【技術分野】
【０００１】
本発明は、電子天びんあるいは電子はかり等（以下単に［電子天びん］という）に関する。
【背景技術】
【０００２】
従来、電子天びんにおいて、一般に被測定試料の荷重を検出する荷重検出部には、ロバーバル機構を有する長方体のロードセルフレームの歪み発生部に歪みゲージなどの歪みセンサを貼付し、この歪みセンサでブリッジ回路を構成したロードセルや被測定試料の荷重と電磁力をバランスさせてその電磁力発生に要した電流を検出して荷重を検出する荷重検出機構が多く用いられている。
【０００３】
図６はロードセルを用いた電子天びん２０の荷重検出部とその周辺部を一部断面で示す構成図である。ロードセル２１の一端側下辺を筐体２２の底部に固定し、他端側上辺に荷重受け皿２３を取り外し自由に支承するための円錐形の支承部材２４を固着した荷重受け持ち出し部２５を固設している。この支承部材２４は、筐体２２に冠着させるカバー２６に設けられた貫通穴２７のほぼ中央に位置して荷重受け皿２３を支承するようにしている（特許文献１参照）。
【０００４】
図７は電磁力発生装置３７で発生する電磁力と被測定試料の荷重をバランスさせる電磁力平衡機構を用いた電子天びん３０の荷重検出部とその周辺部を一部断面で示す構成図である。母材をくり抜きロバーバル機構とレバー機構を形成した機構ブロック３１の一端側下辺を筐体３３の底部に固定し、他端側上辺に円錐形の支承部材３２を固着している。この支承部材３２は、筐体３３に冠着させるカバー３４に設けられた貫通穴３５のほぼ中央に位置して荷重受け皿３６を支承するようにしている（特許文献２参照）。
【特許文献１】特開平７−３５６０１号公報
【特許文献２】特開２００２−１４８１０５号公報
【発明の開示】
【発明が解決しようとする課題】
【０００５】
従来の電子天びんは上記のように構成されているが、使用場所に存在する粉塵や異物が図６の矢印Ａで示すように貫通穴２７を通過してカバー２６の内部に浸入したり、図７の矢印Ｂで示すように貫通穴３５を通過してカバー３４内部に浸入して蓄積したりする。これらの塵埃や異物がロードセル２１や機構ブロック３１などの荷重検出部の上辺に蓄積し移動したりすると、これらの荷重負荷が被測定試料の荷重に加算され、測定精度誤差を増大変動させるという問題がある。このため貫通穴２７や同３５とその内部周辺部品との隙間をなるべく小さくしたり、貫通穴の周囲に下方向きに環状突起を設けたりするなどしてできるだけ塵埃や異物の侵入を抑制するようにしている。
【０００６】
しかしながら、使用期間中に蓄積した塵埃や異物を清掃する時、あるいは工場からの出荷や使用場所の変更などで遠方輸送する場合においては荷重受け皿を外して輸送されるので、カバーの貫通穴全体が開放状態となり、周辺の塵埃や異物が混入する危険が増大する。また、蓄積された塵埃や異物は使用環境の振動や試料載置毎に発生する振動などによってより内部に移動し、測定誤差の増大や変動を発生させるとともに、侵入した異物や塵埃を清掃するにはカバーを外さねばならず非常に手間がかかる上、本体に損傷を与える危険があるという問題がある。
本発明は、このような事情に鑑みてなされたものであり、荷重検出部への粉塵等の不要物が本体内部に侵入し難い電子天びんを提供することを目的とする。
【課題を解決するための手段】
【０００７】
上記の目的を達成するため、本発明による電子天びんは、被測定試料を載置する荷重受け皿と、被測定試料の荷重を検出する荷重センサと、前記荷重センサに固設され荷重受け皿を支承する荷重受け持ち出し部と、貫通穴を有するカバーとを備え、前記荷重受け皿は前記貫通穴を通して前記荷重受け持ち出し部に支承されており、前記荷重受け持ち出し部における前記荷重受け皿が支承される箇所の周囲を囲む突起物が設けられ、当該突起物の内壁が前記貫通穴と同位置または外側に位置しているものである。
【発明の効果】
【０００８】
本発明による電子天びんは、カバーの貫通穴と同径以上の径の環状突起部を荷重受け持ち出し部に設けているので、貫通穴から侵入した塵埃や異物は環状突起部内に留められ、荷重検出部への不当アクセスが防止できるとともに塵埃の清掃や異物除去が容易に行なえる。
【発明を実施するための最良の形態】
【０００９】
本発明を電子天びんに適用した場合の実施例を図面を参照しながら説明する。図１は実施例による電子天びん１の外観斜視図、図２は電子天びん１の荷重検出部とその周辺部の一部断面を示す構成図、図３は実施例に係る荷重受け持ち出し部の斜視図である。
【００１０】
本電子天びん１は、図１に示すような荷重受け皿２と、この荷重受け皿２を下方から支承し、被測定試料の荷重を検出して質量値に変換し、その質量値を表示する構成要素を筐体３とそのカバー４内に配設した本体５から構成されている。この本体５の被測定試料の荷重を検出する構成要素には図２に示すようなロバーバル機構を形成し、各薄肉部に歪みセンサ（図示省略）が貼り付けられこの歪みセンサでホイートストーンブリッジ回路を構成した公知のロードセル６が用いられている。このロードセル６の一端（図２では左端）側上辺に図３に示すような荷重受け持ち出し部７が一体成形あるいはねじ８で固着され、他端側下辺は筐体３の底部に固定されている。
【００１１】
図３、４を参照して、荷重受け持ち出し部７の構成を説明する。図３は荷重受け持ち出し部７の斜視図である。また、図４は、貫通穴１２周辺の拡大断面図である。荷重受け持ち出し部７には図３に示すようにねじ９により荷重受け皿２を支承するための支承部材１０が螺合され、その外周上に環状突起部１１が形成されている。前記支承部材１０の先端部は、カバー４の貫通穴１２から上部に突出している。前記環状突起部１１の内径は前記貫通穴１２の直径と同一またはそれ以上の径とし、高さは５ｍｍ程度以上、カバー４の貫通穴１２の周辺部内面と環状突起部１１の上面間の間隙幅は１ｍｍ程度に形成されている。
【００１２】
上記電子天びん１の荷重受け皿２に被測定試料を載置すると、被測定試料の荷重が左端側に加わり、ロバーバル機構を介して各薄肉部に歪みが発生する。荷重作用点側の薄肉部には圧縮力、固定側の薄肉部には引張力が加わり、ロードセル６のホイートストーンブリッジ回路より被測定試料の荷重に比例したアナログ電気信号が検出される。この検出信号はマイクロコンピュータを主体とする演算処理部において公知の質量値換算処理が行なわれ、その質量値が表示される。
【００１３】
この電子天びん１が使用環境中に置かれた場合、その環境中に存在する塵埃や異物が矢印Ａで示す方向からカバー４の貫通穴１２と荷重受け皿２との間隙を通って侵入するが、荷重受け持ち出し部７上に環状突起部１１が存在し、その内径が貫通穴１２の直径以上であり、かつカバー４の内面と環状突起部１１の上面間の間隙が小さいために、塵埃や異物などの大部分は環状突起部１１と支承部材１０で形成される環状溝１３内に蓄積される。この蓄積された塵埃や異物は、電子天びん１から荷重受け皿２を取り外し、スポイド等の吸入器で吸引することにより容易に吸い取り除去することができる。環境状態に応じた定期期間ごとの清掃を行なうことにより、精度誤差への影響を除去することができる。
【００１４】
また、電子天びんは出荷時、あるいは使用場所を遠方に変更するような場合、通常、一旦荷重受け皿２を本体５から外しておのおの梱包し輸送し、使用場所で開梱して荷重受け皿２を再度本体５に取り付け直す一連の作業を必要とする。この場合にも環状突起部１１が存在することにより作業中に塵埃や異物が貫通穴１２に混入しても、環状突起部１１で本体５内への進入路が防止されているため、塵埃や異物などの大部分は環状突起部１１と支承部材１０で形成される環状溝１３内に蓄積される。
【００１５】
図５は電子天びん１４の構成図で、電子天びん３０と同一機能部品には同一記号が付されている。本電子天びん１４は、機構ブロック３１の一端側上辺に支承部材１５とカバー３４の貫通穴３５より広い内周を有する環状突起部１６を設けた荷重受け持ち出し部１７を固設している。これにより、貫通穴３５から侵入する塵埃や異物を環状突起部１６内に閉じ込め、ケース３４内部への侵入が防止される。
【００１６】
なお、本発明は上記実施例に限定されるものではなく、例えば前記環状突起部１１、１６の断面形状、貫通穴１２は多角形などの円形以外の形状を用いることも可能である。
【産業上の利用可能性】
【００１７】
本発明は、電子天びんのみならず、同様の目的で使用されている電子はかり（電子秤）にも適用可能である。
【図面の簡単な説明】
【００１８】
【図１】本発明実施例の電子天びんの外観斜視図である。
【図２】実施例の電子天びんの一部断面を示す構成図である。
【図３】実施例に係る荷重受け持ち出し部の斜視図である。
【図４】貫通穴１２の周辺部の拡大断面図である。
【図５】実施例の電子天びんの一部断面を示す構成図である。
【図６】ロードセルを用いた電子天びん２０の荷重検出部とその周辺部の一部断面を示す構成図である。
【図７】電磁力平衡機構を用いた電子天びん３０の荷重検出部とその周辺部の一部断面を示す構成図である。
【符号の説明】
【００１９】
１  電子天びん
２  荷重受け皿
３  筐体
４  カバー
５  本体
６  ロードセル
７  荷重受け持ち出し部
８  ねじ
９  ねじ
１０  支承部材
１１  環状突起部
１２  貫通穴
１３  環状溝
１４  電子天びん
１５  支承部材
１６  環状突起部
１７  荷重受け持ち出し部
２０  電子天びん
２１  ロードセル
２２  筐体
２３  荷重受け皿
２４  支承部材
２５  荷重受け持ち出し部
２６  カバー
２７  貫通穴
３０  電子天びん
３１  機構ブロック
３２  支承部材
３３  筐体
３４  カバー
３５  貫通穴
３６  荷重受け皿
３７  電磁力発生装置
【図１】
2009036588.tif 000003
【図２】
2009036588.tif 000004
【図３】
2009036588.tif 000005
【図４】
2009036588.tif 000006
【図５】
2009036588.tif 000007
【図６】
2009036588.tif 000008
【図７】
2009036588.tif 000009